(57)【要約】【課題】外部電源線と内部電線とを電気的に接続するものにおいて、内部電線の抜き取りを簡単な工具を用いて実施できるようにし、また、電線接続装置の全長を短くすることができる電線接続装置およびこの電線接続装置を備えた換気扇を提供する。【解決手段】電気絶縁材料からなるケース本体と、ケース本体内に収納され、凹状に形成された導電板２４と、導電板２４の内側に組み付けられ、両側の電線を電気的に接続するように各電線の導体部を導電板２４の立ち上がり部２４ａに対し個別に押し当てて把持する板バネ２５と、ケース本体に設けられ、各電線の抜き取りを可能にする操作手段と、を少なくとも含み、操作手段は、板バネ２５と導電板２４との間に挿入される軸部２６ａを有し、一方側の電線の抜き取りを行う操作ボタン２６と、反対側の電線の抜き取りを行う工具を、板バネ２５と導電板２４との間に挿入するための工具挿入穴３０と、を有する。【選択図】図５
2014017055.tif 000002
【特許請求の範囲】
【請求項１】
電気絶縁材料からなるケース本体と、
前記ケース本体内に収納され、凹状に形成された導電板と、
前記導電板の内側に組み付けられ、両側の電線を電気的に接続するように各電線の導体部を前記導電板の立ち上がり部に対し個別に押し当てて把持する板バネと、
前記ケース本体に設けられ、各電線の抜き取りを可能にする操作手段と、
を少なくとも含み、
前記操作手段は、
前記板バネと前記導電板との間に挿入される軸部を有し、一方側の電線の抜き取りを行う操作ボタンと、
反対側の電線の抜き取りを行う工具を、前記板バネと前記導電板との間に挿入するための工具挿入穴と、
を有する
ことを特徴とする電線接続装置。
【請求項２】
前記板バネは、電線の各導体部を反対方向から受け入れるように屈曲させて形成された電線把持部を有し、かつ、各電線把持部は、電線の各導体部が電線挿入方向でラップするように、バネ本体に対し対角状に配置されている
ことを特徴とする請求項１記載の電線接続装置。
【請求項３】
前記板バネは、前記操作ボタンの軸部先端が当接する山形状の凸部を有し、
前記操作ボタンが押し込まれたときは、前記軸部先端が前記凸部を乗り越えることなく前記板バネを弾性変形させて電線の抜き取りを可能にし、
前記操作ボタンの押し込み力が解放されたときは、前記板バネの復元力により前記操作ボタンを復帰させる
ことを特徴とする請求項１または２記載の電線接続装置。
【請求項４】
前記導電板および前記板バネは、それぞれの中心に対し点対称に形成されている
ことを特徴とする請求項１〜３のいずれか一項に記載の電線接続装置。
【請求項５】
前記ケース本体は、前記導電板および前記板バネを収納するケースと、前記ケースを覆うカバーと、を有し、
前記ケースは、複数の電線の接続すべきペア数に応じて、前記導電板および前記板バネの収納部が平行に形成されるとともに、隣接の前記収納部の間には底面を連結することにより凹部が形成され、
前記カバーは、前記ケースの凹部に嵌合する凸部を有する
ことを特徴とする請求項１記載の電線接続装置。
【請求項６】
前記ケースの両側に電線挿入穴が設けられ、
各電線挿入穴は、電線被覆部が挿入される外側の穴部と、電線被覆部を剥離した導体部が挿入される内側の穴部との２段形状の穴であり、
前記外側の穴部と前記内側の穴部との段付部が電線の押し込みすぎを防止するストッパーとなっている
ことを特徴とする請求項５記載の電線接続装置。
【請求項７】
前記ケースに前記操作ボタンの脱落を防止するリブが設けられている
ことを特徴とする請求項５または６記載の電線接続装置。
【請求項８】
前記ケースの凹部を形成する底面の連結部には、ケースの反りの防止および異極間縁面距離の確保のためにリブが格子状に形成されている
ことを特徴とする請求項５〜７のいずれか一項に記載の電線接続装置。
【請求項９】
前記導電板は、前記ケースの収納部に嵌め込んで固定され、
前記板バネは、電線挿入方向の前後に動かないように前記導電板に設けられたストッパーにより係止している
ことを特徴とする請求項５〜８のいずれか一項に記載の電線接続装置。
【請求項１０】
前記ケースと前記カバーとは、複数の突起とこの突起に対応する穴部との係合により外れないようになっている
ことを特徴とする請求項５〜９のいずれか一項に記載の電線接続装置。
【請求項１１】
前記ケース、前記カバーおよび前記操作ボタンは、難燃性、耐トラッキング性および耐熱性を有する材料で形成されている
ことを特徴とする請求項５〜１０のいずれか一項に記載の電線接続装置。
【請求項１２】
前記操作ボタンは、前記ケースおよび前記カバーと色違いとすることにより視認可能とした
ことを特徴とする請求項５〜１１のいずれか一項に記載の電線接続装置。
【請求項１３】
前記導電板の中央部に穴部を設け、前記ケースの収納部に設けられたリブを該穴部に貫通させることにより、該リブが両側の電線の導体部の接触を防止する構成となっている
ことを特徴とする請求項５〜１２のいずれか一項に記載の電線接続装置。
【請求項１４】
前記導電板の立ち上がり部に電線の過剰な押し込みを抑制するストッパーを設けた
ことを特徴とする請求項１〜１３のいずれか一項に記載の電線接続装置。
【請求項１５】
電気絶縁材料からなるケース本体と、
前記ケース本体内に収納され、凹状に形成された導電板と、
前記導電板の内側に組み付けられ、両側の電線を電気的に接続するように各電線の導体部を前記導電板の立ち上がり部に対し個別に押し当てて把持する板バネと、
前記ケース本体に設けられ、各電線の抜き取りを可能にする操作手段と、
を少なくとも含み、
前記板バネは、電線の各導体部を反対方向から受け入れるように屈曲させて形成された電線把持部を有し、かつ、各電線把持部は、電線の各導体部が電線挿入方向でラップするように、バネ本体に対し対角状に配置されている
ことを特徴とする電線接続装置。
【請求項１６】
請求項１〜１５のいずれか一項に記載の電線接続装置を備えた
ことを特徴とする換気扇。
【発明の詳細な説明】
【技術分野】
【０００１】
本発明は、電線接続装置およびこの電線接続装置を備えた換気扇に関するものである。
【背景技術】
【０００２】
換気扇の電線接続装置としては、例えば特許文献１に開示されたものがある。これは、ファンモーターに接続される電源接続端子を有する端子台を保護ケースに収納するとともに、この保護ケースを、ファンモーターを風洞に取り付けた本体のフランジ背面の凹部内で倒伏起立可能に構成したものである。
【先行技術文献】
【特許文献】
【０００３】
【特許文献１】特開２００６−２５０４３４号公報
【発明の概要】
【発明が解決しようとする課題】
【０００４】
しかし、上記の特許文献１は、ファンモーターに接続される電源接続端子と外部電源線（給電線）およびモーター側リード線との接続構造について具体的に開示していない。
従来の一般的な電線接続装置においては、電気工事を実施する者が外部電源線を挿入する側から簡便な方法で外部電源線の抜き差しを実施可能にしておく必要があるが、他方の内部電線（モーター側リード線）については、製造工場ないしアフターサービス時に製造者ないし製造に関係する者が抜き差しを実施することから、内部電線を抜くためだけに必要な部品などを手持ちの工具などでまかなえるようにしておけばよい。しかしながら、現状では他方の内部電線も簡便に抜き差しできる構造が一般的に採用されており、電線接続装置の部品増や組立性の悪化をきたし、電線接続装置自体のコスト増の要因となっている。
さらに、従来の電線接続装置は、両側の電線同士が導体先端を突き当てて接続する方式となっているため、電線接続装置自体の全長が長くなるといった問題点もある。
【０００５】
本発明は、上記のような問題点を解決するためになされたものであり、外部電源線と内部電線とを電気的に接続するものにおいて、内部電線の抜き取りを簡単な工具を用いて実施できるようにし、また、電線接続装置の全長を短くすることができる電線接続装置およびこの電線接続装置を備えた換気扇を提供することを目的としている。
【課題を解決するための手段】
【０００６】
本発明に係る電線接続装置は、電気絶縁材料からなるケース本体と、ケース本体内に収納され、凹状に形成された導電板と、導電板の内側に組み付けられ、両側の電線を電気的に接続するように各電線の導体部を導電板の立ち上がり部に対し個別に押し当てて把持する板バネと、ケース本体に設けられ、各電線の抜き取りを可能にする操作手段と、を少なくとも含み、操作手段は、板バネと導電板との間に挿入される軸部を有し、一方側の電線の抜き取りを行う操作ボタンと、反対側の電線の抜き取りを行う工具を、板バネと導電板との間に挿入するための工具挿入穴と、を有するものである。
【発明の効果】
【０００７】
本発明に係る電線接続装置は、各電線の抜き取りを可能にする操作手段が、板バネと導電板との間に挿入される軸部を有し、一方側の電線の抜き取りを行う操作ボタンと、反対側の電線の抜き取りを行う工具を、板バネと導電板との間に挿入するための工具挿入穴と、を有する構成となっているので、マイナスドライバー等の工具を用いて内部電線の抜き取りができるとともに、内部電線側の部品点数を減らすことができるため、電線接続装置のコスト低減が可能となる。
【図面の簡単な説明】
【０００８】
【図１】本発明の実施の形態に係る換気扇の断面図。
【図２】本発明の実施の形態に係る換気扇の背面図。
【図３】本発明の実施の形態に係る換気扇の端子台の分解斜視図。
【図４】本発明の実施の形態に係る端子台の動作を示す側面図。
【図５】本発明の実施の形態に係る電線接続装置を右斜め上方より見たときの分解斜視図。
【図６】本発明の実施の形態に係る電線接続装置を左斜め上方より見たときの分解斜視図。
【図７】本発明の実施の形態に係る電線接続装置を外部電源線挿入側から見たときの斜視図。
【図８】本発明の実施の形態に係る電線接続装置を内部電線挿入側から見たときの斜視図。
【図９】本発明の実施の形態に係る電線接続装置の内部の接続状態を示す上面図。
【図１０】本発明の実施の形態に係る電線接続装置のカバー組込み時の正面図。
【図１１】本発明の実施の形態に係る電線接続装置の操作ボタンを裏面より見たときの斜視図。
【図１２】本発明の実施の形態に係る電線接続装置の内部の断面を示す断面上面図。
【発明を実施するための形態】
【０００９】
以下、本発明の実施の形態を図面に基づいて説明する。なお、以下の説明では、換気扇に備え付けられる電線接続装置を例にとって説明するが、本発明の電線接続装置は図示のものに限られるものではない。
【００１０】
本発明の実施の形態に係る換気扇１００について、図１および図２を参照して、概要を説明する。
図１は、本発明の実施の形態に係る換気扇１００の断面図であり、図２は、その換気扇１００の背面図である。
この実施の形態に係る換気扇１００は、室内の空気を排気し、室外または外部の空気と入れ替えるために使用されるものである。そのため、換気扇１００は、室内と室外とを連通する排気ダクト１の中に室内側から挿入して装着されている。この換気扇１００は、送風機が組み付けられた本体６と、室内空気を吸い込むための化粧グリル７とから構成されいる。本体６は、排気ダクト１内に挿入する円筒状の風洞２を有する樹脂製の本体フレーム３と、プロペラ式の羽根車４と電動機５とからなる送風機と、を備えている。
【００１１】
本体フレーム３は、風洞２の前部に吸込口となるベルマウス形状の開口部８を備えており、開口部８の口縁部には前面構造部が一体に形成されている。前面構造部は、半径方向に張り出すように形成された略正方形（丸形でも良い）のフランジ部９と、フランジ部９の端縁に形成された、室内側の壁面に端面が当接するように背面側へ突出した立ち上がり部１０とから構成されている。フランジ部９の背面には、図２に示すように、電源入・切スイッチ１９や閉端接続子等の電気接続部品が収納されており、スイッチ導体部やリード線結線部への接触防止のため、結線部保護カバー１８が備えられている。また、フランジ部９の背面には、回転式構造で容易に外部電源線を接続可能な端子台１７を備えている。前記送風機は、本体フレーム３の風洞２の室外側に設けられた電動機取付構造部に取り付けられている。
【００１２】
電動機取付構造部は、周方向に間隔をおいて風洞２の中心線方向に沿って背後に延出する四本の脚部１１と、各脚部１１の端部から半径方向内側に延びる橋絡部１２と、これらの脚部１１及び橋絡部１２により風洞２の中心に支持された電動機カバー１３とから構成されている。四本の脚部１１は、いずれも風洞２の外周より内側にあり、そのうちの一本の外側に反り付きの板バネ１４が装着されており、板バネ１４は半径方向へ拡開する弾力により本体６を排気ダクト１内に保持している。この板バネ１４により送風機から伝わる振動を吸収している。
【００１３】
この電動機取付構造部において、電動機５の外殻のフランジに電動機カバー１３がネジ締めされている。電動機５の回転軸１５は電動機カバー１３の先から風洞２の中心線上に突き出している。そして、この電動機５の風洞２内の中心線上に延出する回転軸１５に、羽根車４が風洞２に内包される形態に装着されている。
化粧グリル７は、本体フレーム３の前面構造部であるフランジ部９及び立ち上がり部１０を内側に覆う構造となっており、本体６と爪による係合により取り付けられる。
【００１４】
次に、換気扇１００の端子台１７について、図３および図４を参照して説明する。
図３は、本発明の実施の形態に係る換気扇１００の端子台１７の分解斜視図、図４は、本発明の実施の形態に係る端子台１７の動作を示す側面図である。
換気扇１００に備え付けられる端子台１７は、単相２線式のものであって、図３に示すように、電線接続装置１６が難燃性樹脂で成形された上保護カバー２０と下保護カバー２１との間に内包されて固定されている。上保護カバー２０は下保護カバー２１と爪による係合により取り付けられている。この上保護カバー２０の両側面の下部にはそれぞれ回転軸２０ａ、２０ｂが設けられ、図４に示すように、端子台１７がフランジ部９の背面の角部において、倒伏状態と起立状態の約９０゜の範囲で回動可能に取り付けられている。そして、端子台１７が起立状態の場合は、内部の電線接続装置１６の外部電源線接続側が露出した状態となるため、外部電源線の結線ができるようになっている。一方、端子台１７が倒伏状態の場合は、上保護カバー２０がフランジ部９に設けられた難燃性樹脂製の下カバー２２に嵌め込まれることにより外部電源線のみが挿通可能となるように電線接続装置１６を密封する構造となっている。このように構成することで、電線接続装置１６の延焼防止や塵埃浸入の抑制が可能となる。
【００１５】
次に、電線接続装置１６について図５〜図１２を参照して説明する。
図５は、本発明の実施の形態に係る電線接続装置１６を右斜め上方より見たときの分解斜視図、図６は、本発明の実施の形態に係る電線接続装置１６を左斜め上方より見たときの分解斜視図、図７は、本発明の実施の形態に係る電線接続装置１６を外部電源線挿入側から見たときの斜視図、図８は、本発明の実施の形態に係る電線接続装置１６を内部電線挿入側から見たときの斜視図、図９は、本発明の実施の形態に係る電線接続装置１６の内部の接続状態を示す上面図、図１０は、本発明の実施の形態に係る電線接続装置１６のカバー組込み時の正面図、図１１は、本発明の実施の形態に係る電線接続装置の操作ボタンを裏面より見たときの斜視図、図１２は、本発明の実施の形態に係る電線接続装置の内部の断面を示す断面上面図である。
【００１６】
電線接続装置１６は、例えば製品内部の電動機５などと外部の電源線を電気的に接続するため、外部電源線３１（一方側の電線）と内部電線３２（反対側の電線）をそれぞれケース２３に設けられた外部電源線挿入穴２８および内部電線挿入穴２９に挿入して接続を行うものである。
【００１７】
電線接続装置１６は、図５および図６に示すように、合成樹脂等の電気絶縁材料で形成されたケース２３とこれに被着されるカバー２７とからなるケース本体と、ケース本体内に収納された導電板２４と、導電板２４の内側に組み付けられた板バネ２５と、電線の抜き差しを行うための操作手段である操作ボタン２６と、を備えている。
【００１８】
ケース２３は、本実施の形態では単相２線式であるため、電線接続部を構成する導電板２４および板バネ２５を一対ずつ２ペア備えている。３相３線式の場合は３ペアとなる。ケース２３には導電板２４を収納する凹形状の収納部２３ａが接続する電線のペア数だけ平行に形成されており、隣接の収納部２３ａとの間には異極間沿面距離を十分に確保するため、底面に連結部２３ｆ（図９参照）を形成することによって凹部が一体成形で形成されている。
【００１９】
また、ケース２３には、一方側に外部電源線挿入穴２８（図７参照）が形成され、他方側に内部電線挿入穴２９（図８参照）が形成されている。さらに、外部電源線挿入穴２８の上部には電線抜き取り用の操作ボタン２６が装着される凹状の操作ボタン収納部２３ｂ（図６参照）が形成されている。内部電線挿入穴２９の上部には電線抜き取り用の、例えばマイナスドライバー等の工具挿入穴３０（図８参照）が形成されている。そして、ケース２３の側面に設けた複数の突起２３ｇとこの突起２３ｇに対応するカバー２７の穴部２７ａとをスライドさせて係合することにより、ケース本体が構成される。このとき、操作ボタン２６装着用の操作ボタン収納部２３ｂの上部開口部はカバー２７の先端部に設けた蓋２７ｂにより閉鎖される（図７参照）。
【００２０】
導電板２４は、プレス加工で打ち抜いた金属板からなり、図５に示すように、凹形状に形成されており、両側に立ち上がり部２４ａを有する。板バネ２５は導電板２４の内側に密接して組み付けられている。そして、導電板２４と板バネ２５は、外部電源線３１と内部電線３２とをそれぞれ板バネ先端部２５ｅにより導電板２４の立ち上がり部２４ａに押し当てることにより電気的に接続させる部品である。すなわち、外部電源線３１および内部電線３２は、導電板２４と板バネ２５とで把持することによって電気的に接続される。
導電板２４の底面中央部には角穴２４ｂが設けられており、この角穴２４ｂにケース２３の収納部２３ａに設けられたリブ２３ｃを嵌め込むことによって、導電板２４を位置決めすることができる。また、導電板２４の立ち上がり部２４ａには、電線の押し込みすぎによる内部部品の変形などを抑制するため、切り起こしによるストッパー２４ｃが設けられている。また、導電板２４には、後述する板バネ２５の屈曲部２５ｂが操作ボタン２６により押し込まれた際、予期せぬ変形を抑制するためのストッパー２４ｄが切り起こしにより設けられている。なお、導電板２４は、その中心に対し点対称に形成することにより、取付方向の制約がなくなり、組立や加工において有利である。
【００２１】
板バネ２５は、バネ材を折り曲げて、例えば略Ｓ字状に屈曲させたものであり、外部電源線３１および内部電線３２の各導体部を反対方向から受け入れるように屈曲させて形成されている（図９参照）。すなわち、板バネ２５は、バネ本体が導電板２４の立ち上がり部２４ａに密接する立ち上がり部２５ａと、立ち上がり部２５ａから円弧状の屈曲部２５ｂを介して連続して曲げられた傾斜部２５ｃと、傾斜部２５ｃに形成された山形状の凸部２５ｄと、外部電源線３１および内部電線３２の各導体部の電線把持部となる板バネ先端部２５ｅと、両側の立ち上がり部２５ａを連結する連結部２５ｆとから構成されている。そして、この山形状の凸部２５ｄに、後述するように操作ボタン２６の軸部先端またはマイナスドライバー等の工具先端を当接させることで、板バネ２５を弾性変形させ、外部電源線３１および内部電線３２の抜き差しができるようになっている。また、導電板２４に切り起こしにより設けられたストッパー２４ｃ、２４ｄを電線挿入方向の前後にて板バネ２５の連結部２５ｆと屈曲部２５ｂにそれぞれ係止させることにより、板バネ２５が前後に動かないように導電板２４内に固定されている。
【００２２】
なお、板バネ２５は、略Ｓ字状に屈曲させたものに限られるものではなく、例えば円弧状の屈曲部２５ｂから略Ｖ字状に屈曲させたものでもよい。但し、この場合でも、操作ボタン２６の軸部２６ａ先端または工具先端が当接する山形状の凸部２５ｄを略Ｖ字状の傾斜部に曲げ形成する。山形状の凸部２５ｄは、屈曲部２５ｂから延設した傾斜部２５ｃに部分的な幅でもって形成されているが、板幅の全幅にわたって形成してもよい。
【００２３】
ここで、電線接続装置１６の動作を図９を参照して説明する。
外部電源線３１および内部電線３２は、いずれも予め被覆部が剥ぎ取られて所定の長さで導体部３１ａ、３２ａが剥き出しとなっている。そして、外部電源線３１は、ケース２３に設けられた外部電源線挿入穴２８から挿入される。内部電線３２は、ケース２３の反対側に設けられた内部電線挿入穴２９から挿入される。外部電源線３１の挿入時には、外部電源線３１の押し込みにより板バネ２５を容易に弾性変形させて導体部３１ａが導電板２４の立ち上がり部２４ａと板バネ２５の板バネ先端部２５ｅとの間に挿入され、板バネ先端部２５ｅが立ち上がり部２４ａに導体部３１ａを押し当てて把持する。外部電源線３１の導体部３１ａは、先端が導電板２４の立ち上がり部２４ａから内側に突出したストッパー２４ｃに突き当たってそれ以上挿入できないようになっている。同様に、反対側の内部電線３２の挿入時には、内部電線３２の押し込みにより板バネ２５を容易に弾性変形させて導体部３２ａが導電板２４の立ち上がり部２４ａと板バネ２５の板バネ先端部２５ｅとの間に挿入され、板バネ先端部２５ｅが立ち上がり部２４ａに導体部３２ａを押し当てて把持する。内部電線３２の導体部３２ａは、先端が導電板２４の立ち上がり部２４ａから内側に突出したストッパー２４ｃに突き当たってそれ以上挿入できないようになっている。これによって、外部電源線３１および内部電線３２は電気的に接続される。また、電線接続時には、各々の板バネ先端部２５ｅが外部電源線３１および内部電線３２の各導体部に食いつくため電線は抜けない構造となっている。さらに、両側の立ち上がり部２４ａに設けたストッパー２４ｃの電線挿入方向の間隔により、外部電源線３１および内部電線３２の各導体部３１ａと３２ａとのラップ代が決められる。
【００２４】
そしてさらに、本実施の形態では、各導体部３１ａ、３２ａが電線挿入方向でラップするように、両側の板バネ先端部２５ｅ（電線把持部）がバネ本体に対し対角状に配置されているので、このラップ分（導体ラップ代の長さ分）だけ電線接続装置１６の全長を短くすることができる。したがって、電線接続装置１６を安価にかつ小型に構成することができる。
【００２５】
外部電源線挿入穴２８は、図１２に示すように、電線被覆部が挿入される外側の電線被覆部挿入穴部２８ａと導体部３１ａが挿入される内側の導体部挿入穴部２８ｂとの２段形状の穴となっており、その段付部２８ｃを電線被覆部が当接するストッパーとすることで、外部電源線３１の過度の押し込みを防止している。
同様に、内部電線挿入穴２９は、電線被覆部が挿入される外側の電線被覆部挿入穴部２９ａと導体部３２ａが挿入される内側の導体部挿入穴部２９ｂとの２段形状の穴となっており、その段付部２９ｃを電線被覆部が当接するストッパーとすることで、内部電線３２の過度の押し込みを防止している。
以上のように構成することにより、板バネ２５やケース２３等の内部部品の変形、破壊などを防止することができる。
【００２６】
操作ボタン２６は、図１１に示すように、軸部２６ａを有する略Ｌ字状の樹脂成形品であり、主に外部電源線３１の抜き取りのために使用する部品である。操作ボタン２６は、軸部２６ａの裏面に窪み部２６ｂが形成されており、抜け止め面２６ｃが、ケース２３に形成されているストッパーリブ２３ｄ（図６参照）に引っ掛かり、電線接続装置１６から抜け落ちない構造となっている。また、操作ボタン２６の押し込み時には、窪み部２６ｂの過押し込み防止面２６ｄがストッパーリブ２３ｄに当接するとともに、操作ボタン２６のＬ型部裏面の過押し込み防止面２６ｅがケース２３に形成されているストッパー壁２３ｅに当接することで、それ以上の押し込みが抑制され、操作ボタン２６の板バネ２５への引っ掛かりや、過度の押し込みによる板バネ２５の塑性変形を防止するようになっている。さらに、操作ボタン２６の押し込み時には、軸部２６ａの先端が板バネ２５の山形状の凸部２５ｄを乗り越えない形状としている。
【００２７】
次に、電線接続装置１６の電線抜き取り動作について説明する。
外部電源線３１および内部電線３２は、上述のようにそれぞれ導電板２４と板バネ２５との間に把持されて電気的に接続されている。換気扇１００のメンテナンスなどで外部電源線３１を引き抜く場合には、電線接続装置１６に装着されている操作ボタン２６を押し込む。そうすると、操作ボタン２６の軸部２６ａ先端が板バネ２５の山形状の凸部２５ｄを乗り越えることなくその傾斜面に乗り上げ、導電板２４と板バネ２５との間に所要の隙間ができるように板バネ２５を弾性変形させる。この隙間ができた状態になると、外部電源線３１を容易に引き抜くことができる。その後、操作ボタン２６に加えていた押し込み力を解放すれば、軸部２６ａ先端が板バネ２５の山形状の凸部２５ｄを乗り越えない状態となっているため、板バネ２５の復元力により操作ボタン２６は軸心方向に押し戻され、元の位置に復帰する。また、板バネ２５も元の位置に復帰する。
【００２８】
内部電線３２を引き抜く場合には、マイナスドライバーなどの簡単な工具を工具挿入穴３０から挿入する。そうすると、工具先端が板バネ２５の山形状の凸部２５ｄを押し下げまたは押し上げ、導電板２４と板バネ２５との間に所要の隙間ができるように板バネ２５を弾性変形させる。この隙間ができた状態になると、上記と同様に内部電線３２を容易に引き抜くことができる。その後、工具を引き抜けば、板バネ２５は元の位置に復帰する。
したがって、本実施の形態によれば、電動機５側の電線（内部電線３２）を簡単な工具を用いて引き抜くことができるため、部品点数を減らすことができ、電線接続装置１６のコスト低減が可能となる。
【００２９】
なお、内部電線３２についても、コスト削減のメリットは失われるが、外部電源線３１と同様に操作ボタン２６によって引き抜くようにしてもよい。
【００３０】
カバー２７は、ケース２３に設けられた複数の突起２３ｇとカバー２７の穴部２７ａとを係合させることによりケース２３に被着され、ケース２３内に導電板２４、板バネ２５、操作ボタン２６を内包させる樹脂成形品である。本実施の形態では、単相２線式のため、図１０に示すように、ケース２３の底面の連結部２３ｆ上には凹部２３ｈが形成されており、カバー２７にはこの凹部２３ｈに嵌合する凸部２７ｃが形成されている。このため、カバー２７をケース２３に被着したとき、凸部２７ｃが凹部２３ｈに嵌り込むため、異極間沿面距離が十分確保可能な構造となっている。
【００３１】
以上のように本実施の形態に係る電線接続装置１６によれば、以下に示すような効果が得られる。
【００３２】
（１）内部電線３２の抜き取りをマイナスドライバー等の簡単な工具で行えるので、部品点数の削減ができ、コスト低減が可能である。
【００３３】
（２）外部電源線３１と内部電線３２は、接続時、各導体部が電線挿入方向でラップするように、板バネ２５がバネ本体に対し対角状に配置されているので、電線接続装置１６の全長を短くすることができる。
【００３４】
（３）板バネ２５に操作ボタン２６の軸部２６ａ先端が当接する山形状の凸部２５ｄを設け、操作ボタン２６が押し込まれたときは、軸部２６ａ先端が凸部２５ｄを乗り越えることなく板バネ２５を弾性変形させて外部電源線３１の抜き取りを可能にし、操作ボタン２６の押し込み力が解放されたときは、板バネ２５の復元力により操作ボタン２６を復帰させる構成とすることにより、外部電源線３１の抜き取りが容易である。
また、操作ボタン２６をケース２３およびカバー２７と色違いとすることにより視認が容易となる。
また、操作ボタン２６、ケース２３およびカバー２７を難燃性、耐トラッキング性および耐熱性を有する材料で形成することにより、高電圧の印加が可能な電線接続装置１６が得られる。
【００３５】
（４）導電板２４および板バネ２５をそれぞれの中心に対し点対称に形成することにより、取付方向の制約がなくなるため、製造コスト、組立工数の削減が可能となる。
【００３６】
（５）ケース２３の底面の連結部２３ｆ上に設けた凹部２３ｈとカバー２７の凸部２７ｃとを嵌合させることにより、異極間沿面距離を十分に確保することができる。
また、ケース２３の底面の連結部２３ｆのリブを格子状に形成することにより、ケース２３の反りを抑制でき、かつ異極間縁面距離を十分に確保できる。
【００３７】
（６）外部電源線３１および内部電線３２の各電線挿入穴を、電線被覆部が挿入される外側の穴部と、電線被覆部を剥離した導体部が挿入される内側の穴部との２段形状の穴とし、段付部２８ｃ、２９ｃを電線の押し込み過ぎによるストッパーとすることにより、内部部品の変形や破損などを防止することができる。
【００３８】
（７）導電板２４は、ケース２３の収納部２３ａに嵌め込んで固定され、板バネ２５は、電線挿入方向の前後に動かないように導電板２４に設けられたストッパー２４ｃ、２４ｄにより係止しているので、電線挿入時の内部部品の変形や破損などを防止することができる。
【００３９】
（８）導電板２４の中央部に設けられた穴部に、板バネ２５に設けられたリブ２３ｃを貫通させることにより、外部電源線３１および内部電線３２の各導体部の接触を防止することができる。
【産業上の利用可能性】
【００４０】
本発明の電線接続装置は、換気扇に使用するものについて説明したが、これに限らず空気清浄機能や脱臭フィルターを有する換気扇や浴室乾燥機、空気調和装置、給湯装置等にも適用することができるものである。
【符号の説明】
【００４１】
１  排気ダクト、２  風洞、３  本体フレーム、４  羽根車、５  電動機、６  本体、７  化粧グリル、８  開口部、９  フランジ部、１０  立ち上り部、１１  脚部、１２  橋絡部、１３  電動機カバー、１４  板バネ、１５  回転軸、１６  電線接続装置、１７  端子台、１８  結線部保護カバー、１９  電源入・切スイッチ、２０  上保護カバー、２０ａ  回転軸、２０ｂ  回転軸、２１  下保護カバー、２２  下カバー、２３  ケース、２３ａ  収納部、２３ｂ  操作ボタン収納部、２３ｃ  リブ、２３ｄ  ストッパーリブ、２３ｅ  ストッパー壁、２３ｆ  連結部、２３ｇ  突起、２３ｈ  凹部、２４  導電板、２４ａ  立ち上がり部、２４ｂ  角穴、２４ｃ  ストッパー、２４ｄ  ストッパー、２５  板バネ、２５ａ  立ち上がり部、２５ｂ  屈曲部、２５ｃ  傾斜部、２５ｄ  凸部、２５ｅ  板バネ先端部、２５ｆ  連結部、２６  操作ボタン、２６ａ  軸部、２６ｂ  窪み部、２６ｃ  抜け止め面、２６ｄ  過押し込み防止面、２６ｅ  過押し込み防止面、２７  カバー、２７ａ  穴部、２７ｂ  蓋、２７ｃ  凸部、２８  外部電源線挿入穴、２８ａ  電線被覆部挿入穴部、２８ｂ  導体部挿入穴部、２８ｃ  段付部、２９  内部電線挿入穴、２９ａ  電線被覆部挿入穴部、２９ｂ  導体部挿入穴部、２９ｃ  段付部、３０  工具挿入穴、３１  外部電源線（一方側の電線）、３１ａ  導体部、３２  内部電線（反対側の電線）、３２ａ  導体部、１００  換気扇。
【図１】
2014017055.tif 000003
【図２】
2014017055.tif 000004
【図３】
2014017055.tif 000005
【図４】
2014017055.tif 000006
【図５】
2014017055.tif 000007
【図６】
2014017055.tif 000008
【図７】
2014017055.tif 000009
【図８】
2014017055.tif 000010
【図９】
2014017055.tif 000011
【図１０】
2014017055.tif 000012
【図１１】
2014017055.tif 000013
【図１２】
2014017055.tif 000014